(57)【要約】【課題】  低温サウナ装置では室温が高温サウナに比べてかなり低く短時間では十分な発汗が得られないため、長時間入浴が避けられず、高温サウナほどではないが身体への負担が大きくなる、という問題があった。【解決手段】  入浴者４を低温加熱手段である加熱装置６で加熱する低温サウナシステム１において、該加熱装置６を備えたサウナ装置２と、該サウナ装置２内に収容される入浴者４に装着される低温サウナ専用スーツ３とより構成した。【選択図】      図１
2006304887.tif 000002
【特許請求の範囲】
【請求項１】
入浴者を低温加熱手段で加熱する低温サウナ方法において、伸縮性に優れた非通気性素材から成る低温サウナ専用スーツが入浴者に装着された後、該入浴者は前記低温加熱手段を備えたサウナ装置内に低温サウナ専用スーツ装着状態で入ることを特徴とする低温サウナ方法。
【請求項２】
入浴者を低温加熱手段で加熱する低温サウナシステムにおいて、該低温加熱手段を備えたサウナ装置と、該サウナ装置内に収容される入浴者に装着される低温サウナ専用スーツとより構成されると共に、該低温サウナ専用スーツは、伸縮性に優れた非通気性素材から成ることを特徴とする低温サウナシステム。
【請求項３】
前記低温加熱手段は、出力調節可能な遠赤外線加熱装置、トルマリン等の遠赤外線放射物質のうちのいずれか一方又は両方であることを特徴とする請求項２記載の低温サウナシステム。
【請求項４】
前記サウナ装置は、ベース部材と、該ベース部材の上方をカバーするカバー部材と、該カバー部材と前記ベース部材との間の空間で身体の挿入方向前後に形成される開口を塞ぐ閉塞部材とを備えたドーム状であることを特徴とする請求項２又は請求項３記載の低温サウナシステム。
【請求項５】
前記サウナ装置には、ゲルマニウム等のマイナスイオン放射物質を備えることを特徴とする請求項２乃至請求項４のいずれか一項に記載の低温サウナシステム。
【請求項６】
前記低温サウナ専用スーツには、トルマリン等の遠赤外線放射物質、ゲルマニウム等のマイナスイオン放射物質のうちのいずれか一方又は両方を備えることを特徴とする請求項２乃至請求項５のいずれか一項に記載の低温サウナシステム。
【請求項７】
前記遠赤外線放射物質、マイナスイオン放射物質は、シート状部材内に混入され、該シート状部材は低温サウナ専用スーツの特定部位に適宜装着可能な構成であることを特徴とする請求項６記載の低温サウナシステム。
【請求項８】
前記低温サウナ専用スーツは、身体の特定部位に装着可能な構成であることを特徴とする請求項２乃至請求項７のいずれか一項に記載の低温サウナシステム。
【請求項９】
収縮率２００％以上の伸縮性を備えた非通気性素材から成る低温サウナ専用スーツ。
【請求項１０】
トルマリン等の遠赤外線放射物質、ゲルマニウム等のマイナスイオン放射物質のうちのいずれか一方又は両方を備えることを特徴とする請求項９記載の低温サウナ専用スーツ。
【請求項１１】
前記遠赤外線放射物質、マイナスイオン放射物質は、シート状部材内に混入され、該シート状部材は低温サウナ専用スーツの特定部位に適宜装着可能な構成であることを特徴とする請求項１０記載の低温サウナ専用スーツ。
【請求項１２】
身体の特定部位に装着可能な構成であることを特徴とする請求項９乃至請求項１１のいずれか一項に記載の低温サウナ専用スーツ。
【発明の詳細な説明】
【技術分野】
【０００１】
本発明は、短時間で高い発汗作用を付与可能な低温サウナ方法、システム、及び専用スーツに関するものである。
【背景技術】
【０００２】
従来より、新陳代謝を良くして健康の維持増進を図るために、室温を８０〜１００℃程度の高温に上げて発汗を促す高温サウナが普及している。しかし、このような高温サウナに入浴した場合には体温と比較して室温が著しく高いため、心臓への負担増による心拍数の増加、血液中のナトリウム、カリウム等のミネラル分の過剰排出、脱水に伴う血栓の発生などが起こり易い、という問題があった。
【０００３】
そこで、年配者や女性でも無理なく入浴してシェイプアップやダイエットが行える、４０〜６０℃程度の幾分低温で発汗を促す低温サウナが、現在広く普及しつつある。該低温サウナの代表的なものには、入浴者に遠赤外線を照射して身体の内部から発熱させ、穏やかに発汗を促す遠赤外線サウナがある。
【０００４】
この遠赤外線サウナにおいては、家庭用の小型で簡便なサウナ装置が種々開示され、その中には遠赤外線の温熱効果を更に向上させた技術も開示されている。例えば、一人又は二人の入浴者を収納可能な容積のハウジングの内部に複数形態の遠赤外線加熱装置（電熱器や面状発熱体）を設けて広い波長域の遠赤外線を照射可能としたサウナ装置（例えば特許文献１）や、ドーム状のハウジングの内部に入浴者を横にして、その身体全体に遠赤外線を均等に照射可能としたサウナ装置（例えば特許文献２）が公知となっている。
【特許文献１】特開２００２−１１０６９号公報
【特許文献２】特開２００３−２４５３２６号公報
【発明の開示】
【発明が解決しようとする課題】
【０００５】
しかし、いずれの低温サウナ装置においても、室温そのものが高温サウナと比べてかなり低く、短時間では十分な発汗が得られないため、長時間入浴が避けられず、その結果、高温サウナほどではないが身体への負担が結構大きくなる、という問題があった。
【０００６】
また、身体の部分、例えば下半身だけをシェイプアップしたいといった要望も従来より根強いが、いずれの低温サウナ装置においても、部分シェイプアップには新たな局部加熱装置の組み込み等が必要となるためにコストアップが避けられない、という問題があった。
【課題を解決するための手段】
【０００７】
本発明の解決しようとする課題は以上の如くであり、次にこの課題を解決するための手段を説明する。
すなわち、請求項１においては、入浴者を低温加熱手段で加熱する低温サウナ方法において、伸縮性に優れた非通気性素材から成る低温サウナ専用スーツが入浴者に装着された後、該入浴者は前記低温加熱手段を備えたサウナ装置内に低温サウナ専用スーツ装着状態で入るものである。
請求項２においては、入浴者を低温加熱手段で加熱する低温サウナシステムにおいて、該低温加熱手段を備えたサウナ装置と、該サウナ装置内に収容される入浴者に装着される低温サウナ専用スーツとより構成されると共に、該低温サウナ専用スーツは、伸縮性に優れた非通気性素材から成るものである。
請求項３においては、前記低温加熱手段は、出力調節可能な遠赤外線加熱装置、トルマリン等の遠赤外線放射物質のうちのいずれか一方又は両方である。
請求項４においては、前記サウナ装置は、ベース部材と、該ベース部材の上方をカバーするカバー部材と、該カバー部材と前記ベース部材との間の空間で身体の挿入方向前後に形成される開口を塞ぐ閉塞部材とを備えたドーム状である。
請求項５においては、前記サウナ装置には、ゲルマニウム等のマイナスイオン放射物質を備えるものである。
請求項６においては、前記低温サウナ専用スーツには、トルマリン等の遠赤外線放射物質、ゲルマニウム等のマイナスイオン放射物質のうちのいずれか一方又は両方を備えるものである。
請求項７においては、前記遠赤外線放射物質、マイナスイオン放射物質は、シート状部材内に混入され、該シート状部材は低温サウナ専用スーツの特定部位に適宜装着可能な構成であるものである。
請求項８においては、前記低温サウナ専用スーツは、身体の特定部位に装着可能な構成である。
請求項９においては、低温サウナ専用スーツは、収縮率２００％以上の伸縮性を備えた非通気性素材から成るものである。
請求項１０においては、低温サウナ専用スーツは、トルマリン等の遠赤外線放射物質、ゲルマニウム等のマイナスイオン放射物質のうちのいずれか一方又は両方を備えるものである。
請求項１１においては、低温サウナ専用スーツは、前記遠赤外線放射物質、マイナスイオン放射物質は、シート状部材内に混入され、該シート状部材は低温サウナ専用スーツの特定部位に適宜装着可能な構成である。
請求項１２においては、低温サウナ専用スーツは、身体の特定部位に装着可能な構成である。
【発明の効果】
【０００８】
本発明は、以上のように構成したので、以下に示す効果を奏する。
すなわち、請求項１においては、入浴者を低温加熱手段で加熱する低温サウナ方法において、伸縮性に優れた非通気性素材から成る低温サウナ専用スーツが入浴者に装着された後、該入浴者は前記低温加熱手段を備えたサウナ装置内に低温サウナ専用スーツ装着状態で入るので、遠赤外線等による身体内部からの熱が通気性のない低温サウナ専用スーツ内に無駄なく蓄えられ、遠赤外線等による温熱効果を更に向上させることができ、たとえ室温が低くても入浴者は十分に発汗できるため、入浴が短時間で済み、入浴中の身体への負担を一層軽減することができる。
請求項２においては、入浴者を低温加熱手段で加熱する低温サウナシステムにおいて、該低温加熱手段を備えたサウナ装置と、該サウナ装置内に収容される入浴者に装着される低温サウナ専用スーツとより構成されると共に、該低温サウナ専用スーツは、伸縮性に優れた非通気性素材から成るので、遠赤外線等による身体内部からの熱が低温サウナ専用スーツ内に無駄なく蓄えられ、遠赤外線等による温熱効果を更に向上させることができ、たとえ室温が低くても入浴者は十分に発汗できるため、入浴が短時間で済み、入浴中の身体への負担を一層軽減することができる。
請求項３においては、前記低温加熱手段は、出力調節可能な遠赤外線加熱装置、トルマリン等の遠赤外線放射物質のうちのいずれか一方又は両方であるので、遠赤外線量を細かく制御したり、身体部位によって遠赤外線量を変更したりできるため、入浴者の希望する発汗量、発汗部位等の要求に的確に対応することができる。
請求項４においては、前記サウナ装置は、ベース部材と、該ベース部材の上方をカバーするカバー部材と、該カバー部材と前記ベース部材との間の空間で身体の挿入方向前後に形成される開口を塞ぐ閉塞部材とを備えたドーム状であるので、ドーム部分から放射される遠赤外線等を入浴者の身体全体に均等に照射することができるため、全身をまんべんなく暖めて身体全体からの発汗を効率的に促進させる。
請求項５においては、前記サウナ装置には、ゲルマニウム等のマイナスイオン放射物質を備えるので、プラスイオンが過剰となる生体電流のバランスを整えて健康増進を図ることができる。
請求項６においては、前記低温サウナ専用スーツには、トルマリン等の遠赤外線放射物質、ゲルマニウム等のマイナスイオン放射物質のうちのいずれか一方又は両方を備えるので、手間をかけることなく、遠赤外線量を細かく制御したり身体部位によって遠赤外線量を変更し、入浴者の希望する発汗量、発汗部位等の要求に的確に対応することができると共に、プラスイオンが過剰となる生体電流のバランスを整えて健康増進を図ることができる。
請求項７においては、前記遠赤外線放射物質、マイナスイオン放射物質は、シート状部材内に混入され、該シート状部材は低温サウナ専用スーツの特定部位に適宜装着可能な構成であるので、簡単な構成によって遠赤外線やマイナスイオンの発生源を構成して、遠赤外線やマイナスイオンの作用する身体部位を容易に変更できるため、入浴者の希望する発汗量、発汗部位、あるいはマイナスイオンの供給量、供給部位の要求に的確に対応することができる。
請求項８においては、前記低温サウナ専用スーツは、身体の特定部位に装着可能な構成であるので、新たな局部加熱装置等を設けることなく身体の特定部位のみを保熱できるため、低コストで容易に部分シェイプアップを図ることができる。
請求項９においては、低温サウナ専用スーツは、収縮率２００％以上の伸縮性を備えた非通気性素材から成るので、伸縮性に優れスーツ装着による身体への圧迫が少なく血流が阻害されることがない上に、遠赤外線等による身体内部からの熱が通気性のない低温サウナ専用スーツ内に無駄なく蓄えられるため、遠赤外線等による温熱効果を更に向上させることができ、低温サウナのようにたとえ室温が低くても入浴者は十分に発汗できるため、入浴が短時間で済み、入浴中の身体への負担を一層軽減することができる。
請求項１０においては、トルマリン等の遠赤外線放射物質、ゲルマニウム等のマイナスイオン放射物質のうちのいずれか一方又は両方を備えるので、手間をかけることなく、遠赤外線量を細かく制御したり身体部位によって遠赤外線量を変更し、入浴者の希望する発汗量、発汗部位等の要求に的確に対応することができると共に、プラスイオンが過剰となる生体電流のバランスを整えて健康増進を図ることができる。
請求項１１においては、前記遠赤外線放射物質、マイナスイオン放射物質は、シート状部材内に混入され、該シート状部材は低温サウナ専用スーツの特定部位に適宜装着可能な構成であるので、簡単な構成によって遠赤外線やマイナスイオンの発生源を構成して、遠赤外線やマイナスイオンの作用する身体部位を容易に変更できるため、入浴者の希望する発汗量、発汗部位、あるいはマイナスイオンの供給量、供給部位の要求に的確に対応することができる。
請求項１２においては、身体の特定部位に装着可能な構成であるので、低温サウナに新たな局部加熱装置等を設けることなく身体の特定部位のみを保熱できるため、低コストで容易に部分シェイプアップを図ることができる。
【発明を実施するための最良の形態】
【０００９】
次に、発明の実施の形態を説明する。
図１は本発明に係わる低温サウナシステムの斜視図、図２は本発明に係わるサウナ装置の斜視図、図３は本発明に係わる低温サウナ専用スーツの背面図、図４は別形態の低温サウナ専用スーツの正面図である。
【００１０】
なお、以下の実施例では、低温加熱に遠赤外線を使用する遠赤外線サウナによって実施形態を説明しているが、４０℃前後の非常に微細な水滴のミストを入浴者に吹き付けて湿度と温度を高めて発汗を促すミストサウナなどのように、身体を比較的低温で加熱するサウナであれば本発明は適用可能であり、遠赤外線サウナのみに限定されるものではない。
【００１１】
まず、低温サウナシステム１の全体構成について、図１により説明する。
該低温サウナシステム１は、加熱装置６で遠赤外線を入浴者４に照射して発汗を促すサウナ装置２と、該サウナ装置２内の入浴者４が装着する低温サウナ専用スーツ３とから構成され、そして該低温サウナ専用スーツ３は、伸縮性に優れた非通気性素材から成るものである。
【００１２】
前記入浴者４は、入浴する前に、後で詳述する低温サウナ専用スーツ３を装着し、該低温サウナ専用スーツ３を装着した状態で前記サウナ装置２内に入り、頭部だけをサウナ室５の外部に出したままで入浴する。
【００１３】
この際、入浴する前に、非通気性素材から成る低温サウナ専用スーツ３を装着した状態でダイエット運動やシェイプアップ運動を行ってもよく、これにより、運動により発生した熱を低温サウナ専用スーツ３内に十分蓄熱してからサウナ室５に入ることができ、入浴中の入浴者の発汗を一層促進することができる。
【００１４】
なお、前記入浴者４は、室温を所定温度に上昇させてからサウナ室５に入っても良いが、入浴者４が常温のサウナ室５内に入ってから徐々に室温を上昇させてもよく、これにより、発汗が穏やかに行われ、年配者や女性の身体への負担を一層軽減させることができる。
【００１５】
すなわち、入浴者４を低温加熱手段である加熱装置６で加熱する低温サウナシステム１において、該加熱装置６を備えたサウナ装置２と、該サウナ装置２内に収容される入浴者４に装着される低温サウナ専用スーツ３とより構成されると共に、該低温サウナ専用スーツ３は、伸縮性に優れた非通気性素材から成り、また、この伸縮性に優れた非通気性素材から成る低温サウナ専用スーツ３が入浴者４に装着された後、該入浴者４は前記加熱装置６を備えたサウナ装置２内に低温サウナ専用スーツ３装着状態で入るので、遠赤外線等による身体内部からの熱が低温サウナ専用スーツ内に無駄なく蓄えられ、遠赤外線等による温熱効果を更に向上させることができ、たとえ室温が低くても入浴者は十分に発汗できるため、入浴が短時間で済み、入浴中の身体への負担を一層軽減することができるのである。
【００１６】
次に、前記サウナ装置２について、図２により説明する。
サウナ装置２は、ベース部材７と、該ベース部材７の上方を覆うドーム状のカバー部材８と、該カバー部材８と前記ベース部材７との間に形成される身体の挿入方向前後の開口を塞ぐ閉塞部材９・１０とから構成され、これらベース部材７、カバー部材８及び閉塞部材９・１０により囲まれた空間が前記サウナ室５を形成している。
【００１７】
前記ベース部材７の本体は、スポンジ等で形成された矩形の厚板状の部材であり、複数の部材７ｔ・７ａ・７ｂ・７ｃを折り畳み自在に連結して構成されている。そして、該ベース部材７の上面には、ゲルマニウム等のマイナスイオン放射物質を混入したシート状部材１１・１１・・・が取り付けられ、その上から本体上面全面がアルミ箔等の反射部材１２で被装されている。
【００１８】
ところで、ゲルマニウム（特に無機ゲルマニウム）からは恒常的にマイナスイオンが発生し、このマイナスイオンが健康増進に効果があることが知られている。そして、人体に流れる微弱な生体電流のバランスが崩れてプラスイオンが多くなると、肩・首・腰の凝りや膝などの痛みを引き起こすが、このプラスイオンをゲルマニウムから発生するマイナスイオンによって相殺して生体電流を正常に戻すことで、凝りや痛みが解消されるのである。なお、このようなマイナスイオンを発生するものには、セレニウム、トルマリン石、貴陽石、麦飯石又は健緑石などがあるが、これらの中の一種又は二種以上の組み合わせたものを前記マイナスイオン放射物質として用いてもよい。
【００１９】
すなわち、このように、前記サウナ装置２には、ゲルマニウム等のマイナスイオン放射物質を備えるので、プラスイオンが過剰となる生体電流のバランスを整えて健康増進を図ることができる。
【００２０】
なお、前記反射部材１２は、身体以外の部分に照射された遠赤外線を身体側に反射するため、遠赤外線による温熱効率を高めると共に、その高い遮熱性からサウナ室５内の室温低下を防止することができ、電気代などのランニングコストを大幅に低減することができる。
【００２１】
また、前記カバー部材８は、スポンジ等で形成された矩形の厚板状の部材であり、前カバー部材８ａと中カバー部材８ｂと後カバー部材８ｃとに３分割され、身体の挿入方向に互いに着脱自在に連結されている。
【００２２】
そして、この各カバー部材８ａ・８ｂ・８ｃの両側端部は、前記ベース部材７を構成する部材７ａ・７ｂ・７ｃの両側端部のそれぞれに、カバー部材８全体がドーム状に湾曲するように、マジックテープ（登録商標）やファスナー等の接続具を介して着脱自在に連結されている。
【００２３】
更に、各カバー部材８ａ・８ｂ・８ｃの両側部の内側面にも、ゲルマニウム等のマイナスイオン放射物質を混入したシート状部材１３・１３・・・が取り付けられると共に、該シート状部材１３・１３・・・の間には、前記加熱装置６が配設されている。
【００２４】
該加熱装置６は、図１にも示すように、例えば屈曲自在な電熱線を縦横に張り巡らせ、図示せぬ制御装置で遠赤外線の発生量を自在に変更可能な構成としている。更に、各カバー部材８ａ・８ｂ・８ｃの内側面の特定位置に、トルマリン等の遠赤外線放射物質を混入したシート状部材を配置してもよい。例えば入浴者４が下半身のシェイプアップを望む場合には、入浴者４がベース部材７の上に身体を横たえた際の下半身直上に位置する中カバー部材８ｂの内側面に、シート状部材１４を取り付けるのである。これにより、加熱装置６からの遠赤外線量の調整によって全身の発汗の程度を変更したり、特定の身体部位、例えば下半身のみの発汗を促進させたりすることができる。
【００２５】
すなわち、低温加熱手段は、出力調節可能な遠赤外線加熱装置６、トルマリン等の遠赤外線放射物質のうちのいずれか一方又は両方であるので、遠赤外線量を細かく制御したり、身体部位によって遠赤外線量を変更したりできるため、入浴者の希望する発汗量、発汗部位等の要求に的確に対応することができるのである。
【００２６】
また、前記閉塞部材９・１０は、スポンジ等で形成された半円形の厚板状の部材であり、それぞれ前記ベース部材７・カバー部材８と着脱自在に連結されている。このうちの閉塞部材９には、貫通孔９ａが開口され、図１に示すように、該貫通孔９ａから入浴者４は頭部を前記サウナ室５の外に出すようにしている。この時、この貫通孔９ａは入浴者４の頭部によって塞がれサウナ室５内は適度に密閉されるため、サウナ室５内の温度低下を防ぐことができる。
【００２７】
以上のように、サウナ装置２においては、ドーム状のカバー部材８の内側面に加熱装置６や遠赤外線放射物質を取り付け、これらの低温加熱手段から、焦点位置にある入浴者４の身体に向かって散乱することなく遠赤外線を照射できるようにしている。
【００２８】
すなわち、前記サウナ装置２は、ベース部材７と、該ベース部材７の上方をカバーするカバー部材８と、該カバー部材８と前記ベース部材７との間の空間で身体の挿入方向前後に形成される開口を塞ぐ閉塞部材９・１０とを備えたドーム状であるので、ドーム部分から放射される遠赤外線等を入浴者の身体全体に均等に照射することができるため、全身をまんべんなく暖めて身体全体からの発汗を効率的に促進させることができるのである。
【００２９】
なお、前述の如く、ベース部材７は小さく折り畳み可能であり、カバー部材８は複数に分割可能であるのに加え、該ベース部材７、カバー部材８及び前記閉塞部材９・１０は互いに着脱自在に連結されているので、前記サウナ装置２は容易に組立・解体を行うことができ、部屋の片隅や押し入れ等にコンパクトに収納することができる。
【００３０】
次に、前記低温サウナ専用スーツ３について説明する。
この低温サウナ専用スーツ３の素材には、サウナ室５内の熱が入浴者４の身体に十分伝わるように、スーツが身体に密着してスーツと身体表面との間に空気の断熱層を形成しないようにする必要から、高い伸縮性が要求される。更に、スーツ内に蓄熱された熱が汗の蒸気となってスーツの外に排出され体温が奪われるのを防ぐ必要から、非通気性も要求される。なお、代表的な素材としては積層ゴムスポンジ等が挙げられるが、伸縮性、非通気性を備えるものであればよく、特には限定されない。
【００３１】
更に、低温サウナ専用スーツ３が収縮率２００％以上の伸縮性を備える場合には、自在に伸張して身体への圧迫がほとんどなり、スーツ装着による血流の抵抗が減少する。
すなわち、収縮率２００％以上の伸縮性を備えた非通気性素材から成るので、伸縮性に優れスーツ装着による身体への圧迫が少なく血流が阻害されることがない上に、遠赤外線等による身体内部からの熱が通気性のない低温サウナ専用スーツ内に無駄なく蓄えられるため、遠赤外線等による温熱効果を更に向上させることができ、低温サウナのようにたとえ室温が低くても入浴者は十分に発汗できるため、入浴が短時間で済み、入浴中の身体への負担を一層軽減することができる。
【００３２】
ここで、低温サウナ専用スーツ３には、図３に示すように、頭部と、手足の先だけを残して、身体の略全体を覆う全身タイプスーツ１５と、図４に示すように、例えば下半身だけを覆う部分タイプスーツ１６とがある。
【００３３】
このうちの全身タイプスーツ１５では、前述の遠赤外線放射物質やマイナスイオン放射物質をシリコン等に混入したシート状部材１７を、全身タイプスーツ１５装着前に身体表面に直接貼付しておくことで、遠赤外線やマイナスイオンを身体の特定部位に集中照射することができる。更には、全身タイプスーツ１５の内側表面であって、該全身タイプスーツ１５装着時に身体の特定部位に接触する位置に、シート部材１７を予め取り付けておくこともでき、これにより、入浴の度にシート状部材１７を身体に貼付するといった手間を省くことができる。特に、図３に示すように、シート状部材１７を背中の首下や膝裏のリンパ節の位置に取り付けておくと、全身の血流を短時間で大きく改善することができるのである。
【００３４】
すなわち、前記低温サウナ専用スーツ１５には、トルマリン等の遠赤外線放射物質、ゲルマニウム等のマイナスイオン放射物質のうちのいずれか一方又は両方を備えるので、手間をかけることなく、遠赤外線量を細かく制御したり身体部位によって遠赤外線量を変更し、入浴者４の希望する発汗量、発汗部位等の要求に的確に対応することができると共に、プラスイオンが過剰となる生体電流のバランスを整えて健康増進を図ることができる。
【００３５】
加えて、前記遠赤外線放射物質、マイナスイオン放射物質は、シート状部材１７内に混入され、該シート状部材１７は低温サウナ専用スーツ１５の特定部位に適宜装着可能な構成であるので、簡単な構成によって遠赤外線やマイナスイオンの発生源を構成して、遠赤外線やマイナスイオンの作用する身体部位を容易に変更できるため、入浴者の希望する発汗量、発汗部位、あるいはマイナスイオンの供給量、供給部位の要求に的確に対応することができる。
【００３６】
また、図４に示す部分タイプスーツ１６は下半身のみに装着され、下半身からの熱が逃げることなく蓄えられるようにしている。なお、本実施例では、部分タイプスーツ１６は下半身専用であるが、上腕部や腹部等でもよく、特に限定されるものではない。
【００３７】
すなわち、前記低温サウナ専用スーツ１６は、身体の特定部位に装着可能な構成であるので、新たな局部加熱装置等を設けることなく身体の特定部位のみを保熱できるため、低コストで容易に部分シェイプアップを図ることができるのである。
【００３８】
なお、この部分タイプスーツ１６にも、前記全身タイプスーツ１５と同様に、遠赤外線放射物質やマイナスイオン放射物質を混入したシート部材１８を予め取り付けておくことができる。また、いずれのタイプの低温サウナ専用スーツも、一体であっても、上着とズボンのように複数のスーツ部材を装着するものであってもよく、特に限定されるものではない。
【産業上の利用可能性】
【００３９】
本発明は、低温で加熱することにより患者への負荷を軽減する必要のある、ガン治療等用等の温熱医療用途にも適用することができる。
【図面の簡単な説明】
【００４０】
【図１】本発明に係わる低温サウナシステムの斜視図である。
【図２】本発明に係わるサウナ装置の斜視図である。
【図３】本発明に係わる低温サウナ専用スーツの背面図である。
【図４】別形態の低温サウナ専用スーツの正面図である。
【符号の説明】
【００４１】
１  低温サウナシステム
２  サウナ装置
３・１５・１６  低温サウナ専用スーツ
４  入浴者
６  加熱装置
７  ベース部材
８  カバー部材
９・１０  閉塞部材
１１・１３・１４・１７・１８  シート状部材
【図１】
2006304887.tif 000003
【図２】
2006304887.tif 000004
【図３】
2006304887.tif 000005
【図４】
2006304887.tif 000006